(57)【特許請求の範囲】
【請求項１】
皿部材の開口部を蓋部材によって閉鎖して形成される制御ボックスにて制御基板を収容する遊技機において、
上記皿部材と上記蓋部材のいずれか一方に設けられた封止部と、
上記封止部が設けられない上記皿部材と上記蓋部材のいずれか一方に設けられた被挿入部と、
上記被挿入部の内側に備えられる受け部材と、
上記封止部の外側を覆う保護部と、
上記保護部に覆われる上記封止部を貫通しつつ先端部が上記受け部材に抜け止め保持されることにより上記皿部材と上記蓋部材とを固定する挿入部材とを備え、
上記被挿入部は、上記封止部が設けられる一方側に開口部を有し、上記受け部材を内側に設けることが可能な略箱状に形成されていることを特徴とする遊技機。
【請求項２】
上記遊技機は、パチンコ機であることを特徴とする請求項１記載の遊技機。
【発明の詳細な説明】
【技術分野】
【０００１】
本発明は、制御基板を収容した制御ボックスを備えた遊技機に関する。
【背景技術】
【０００２】
従来、この種の遊技機として、図２２に示すように閉鎖的な制御ボックス３が形成される蓋部材２と皿部材１の相対位置において、蓋部材２の延設部４に形成された貫通穴５をピン６で貫通させつつ、ピン６の先端部を皿部材１を延設して形成したピン受け部７の内部に収容された金属製のピン受け板９に抜け止め状態で差し込ませるものが知られている（例えば、特許文献１参照。）。
かかる構成によれば、ピン６が蓋部材２の延設部４と皿部材１のピン受け部７をかんぬき固定するため、蓋部材１を皿部材２に対して相対固定することが可能であった。すなわち、制御ボックス３の閉鎖状態が維持できるため、制御ボックス３の内部に収容される制御基板への不正を防止することが可能であった。
【先行技術文献】
【特許文献】
【０００３】
【特許文献１】特願２００２−１０８７１３号
【発明の概要】
【発明が解決しようとする課題】
【０００４】
上述した従来の遊技機において、ピン受け板９が除去されるとピン６は自由に抜き取ることが可能となるため、制御ボックス３に収容された制御基板等に不正が行われてしまうという課題があった。
本発明は、上記課題等にかんがみてなされたもので、簡単に開けることができない制御ボックスを備える遊技機の提供を目的とする。
【課題を解決するための手段】
【０００５】
上記目的を達成するため、請求項１にかかる発明では、皿部材の開口部を蓋部材によって閉鎖して形成される制御ボックスにて制御基板を収容する遊技機において、
上記皿部材と上記蓋部材のいずれか一方に設けられた封止部と、
上記封止部が設けられない上記皿部材と上記蓋部材のいずれか一方に設けられた被挿入部と、
上記被挿入部の内側に備えられる受け部材と、
上記封止部の外側を覆う保護部と、
上記保護部に覆われる上記封止部を貫通しつつ先端部が上記受け部材に抜け止め保持されることにより上記皿部材と上記蓋部材とを固定する挿入部材とを備え、
上記被挿入部は、上記封止部が設けられる一方側に開口部を有し、上記受け部材を内側に設けることが可能な略箱状に形成されている構成としてある。
【発明の効果】
【０００６】
請求項１にかかる発明によれば、簡単に開けることができない制御ボックスを備えた遊技機を提供することができる。
【図面の簡単な説明】
【０００７】
【図１】本発明にかかる制御ボックスを使用するパチンコ機の背面図である。
【図２】本発明にかかる制御ボックスを使用するスロットマシンの背面図である。
【図３】第一の実施形態にかかる制御ボックスの平面図である。
【図４】第一の実施形態にかかる閉鎖状態の制御ボックスの平面図である。
【図５】第一の実施形態にかかるピン蓋部の平面図および断面図である。
【図６】第一の実施形態にかかるピン受け部の平面図および断面図である。
【図７】第一の実施形態にかかるピン受け部の断面図である。
【図８】第一の実施形態にかかる金具の斜視図である。
【図９】第一の実施形態にかかるピンの斜視図である。
【図１０】第一の実施形態にかかるピン受け部の平面図および断面図である。
【図１１】第一の実施形態にかかるピン受け部の断面図である。
【図１２】第一の実施形態にかかる封止部の平面図および断面図である。
【図１３】第一の実施形態にかかる封止部の断面図である。
【図１４】第一の実施形態にかかる封止部の平面図および断面図である。
【図１５】第一の実施形態にかかる封止部の断面図である。
【図１６】第一の実施形態にかかる封止部の斜視図である。
【図１７】第二の実施形態にかかる封止部の断面図である。
【図１８】第二の実施形態にかかる封止部の斜視図である。
【図１９】第三の実施形態にかかる封止部の断面図である。
【図２０】第四の実施形態にかかる金具の平面図である。
【図２１】第四の実施形態にかかる封止部の断面図である。
【図２２】従来の封止部の概略断面図である。
【発明を実施するための形態】
【０００８】
上記課題を解決するための手段として、以下の手段に記載の構成としても良い。
手段０
手段０にかかる発明は、皿部材の開口部を蓋部材によって閉鎖して形成される制御ボックスにて制御基板を収容する遊技機において、
上記皿部材と上記蓋部材の一方に設けられた封止板と、上記封止板が設けられない上記皿部材と上記蓋部材の一方に設けられた被挿入部と、上記被挿入部の内部に備えられる受け部材と、上記封止板の外側の面を覆うように上記受け部材を同封止板の外側に延設して形成した保護板と、上記封止板と上記保護板とを外側から貫通しつつ先端部が上記受け部材に抜け止め保持されることにより上記皿部材と上記蓋部材とを固定する挿入部材とを具備する構成としてある。
上記のように構成した手段０の発明において、上記制御ボックスは、上記皿部材の開口部を上記蓋部材によって閉鎖することにより形成される。上記皿部材と上記蓋部材の一方には上記封止板が設けられ、同封止板が設けられない上記皿部材と上記蓋部材のもう一方には上記被挿入部が設けられる。上記被挿入部の内部には、挿入部材の先端部を抜け止め保持するための受け部材が備えられる。上記受け部材を上記封止板の外側まで延設することにより保護板が形成され、同保護板による上記封止板の外側は覆われる。そして、挿入部材が上記保護板と上記封止板とを外側から貫通しつつ先端部を上記受け部材に抜け止め保持される。
上記のように構成した手段０の発明において、上記制御ボックスは、上記皿部材の開口部を上記蓋部材によって閉鎖することにより形成される。上記皿部材と上記蓋部材の一方には上記封止板が設けられ、同封止板が設けられない上記皿部材と上記蓋部材のもう一方には上記被挿入部が設けられる。上記被挿入部の内部には、挿入部材の先端部を抜け止め保持するための受け部材が備えられる。上記受け部材を上記封止板の外側まで延設することにより保護板が形成され、同保護板による上記封止板の外側は覆われる。そして、挿入部材が上記保護板と上記封止板とを外側から貫通しつつ先端部を上記受け部材に抜け止め保持される。
【０００９】
すなわち、上記封止板と上記被挿入部とを上記挿入部材によってかんぬき固定することができる。上記封止板と上記被挿入部とが固定されることにより、それぞれが設けられた上記皿部材と上記蓋部材とを固定することができる。従って、上記皿部材の開口部を上記蓋部材によって閉鎖した状態で上記皿部材と上記蓋部材とを固定して上記制御ボックスを封止させることが可能となる。
上記保護板は上記受け部材を延設して形成されるため、上記挿入部材の抜け止め保持を解除すべく上記受け部材を上記被挿入部から除去すると、上記保護板も一緒に除去されることとなる。また、上記保護板は上記封止板の外側を覆うため、外側から上記保護板が除去されたか否かを確認することができる。すなわち、上記保護板と上記受け部材を一体部材とすることで、上記受け部材が上記被挿入部から除去されたことを簡単に確認することができる。
さらに、上記保護板は上記封止板とともに上記挿入部材によってかんぬき固定されるため、上記受け部材はより強力に固定され上記受け部材が上記被挿入部から除去されることを防止することができる。また、上記保護板は上記封止板を外側から覆うため、上記封止板を外側から保護することができる。すなわち、かんぬきとしての上記挿入部材の拘束力が発揮される上記封止板を外側から保護することもできる。
【００１０】
手段１
手段１にかかる発明は、手段０に記載の発明において、上記挿入部材は、金属製のピンであるとともに、上記被挿入部は同ピンが差し込まれるピン受け部である構成としてある。
すなわち、上記挿入部材を金属製のピンとすることで頑丈なかんぬきによって上記蓋部材と上記皿部材とを相対固定することができる。
【００１１】
手段２
手段２にかかる発明は、手段１に記載の発明において、上記受け部材は、金属製のピン受け板である構成としてある。
すなわち、上記保護板と上記受け部材とを切り離すことによって、上記受け部材のみを除去することも可能であるが、上記受け部材を金属製とすることにより延設された上記保護板を簡単に切り離すことはできない。従って、上記受け部材を除去すると、外側の上記保護板も除去され外側から確実に痕跡を確認することができる。また、上記受け部材の強度も高いものとなるため、上記ピンをより強固に抜け止めさせることができる。
【００１２】
手段３
手段３にかかる発明は、手段１または手段２のいずれかに記載の発明において、上記封止板は上記制御ボックスから外側に延設されるとともに、上記ピン受け部も上記制御ボックスから外側に延設される構成としてある。
すなわち、上記封止板と上記ピン受け部は上記制御ボックスの外側に延設され形成されるため、上記封止板や上記ピン受け部が上記制御ボックスの容積を減少させることはない。従って、上記制御基板を収容するスペースを大きく確保することができる。また、仮に上記制御ボックスの外側に形成された上記封止板や上記ピン受け部が破壊されたとしても、上記制御ボックスが同時に破壊されてしまうことが防止できる。
【００１３】
手段４
手段４にかかる発明は、手段３に記載の発明において、上記封止板は視認可能、かつ、破断可能な肉薄部を介して上記制御ボックスから延設されるとともに、上記封止板と上記ピン受け部は複数組、上記ピンが差し込まれない予備が備えられる構成としてある。
【００１４】
すなわち、上記封止板は、上記皿部材と上記蓋部材のいずれか一方を上記制御ボックスの外側に破断可能な肉薄部を介して延設されるため、上記肉薄部を破断させることにより上記封止板を上記制御ボックスから離脱させることができる。上記ピンの拘束力が及ぼされる上記封止板が上記制御ボックスから離脱すると、上記蓋部材と上記皿部材は相対移動が可能となる。従って、上記制御ボックスの閉鎖状態を解除し上記制御基板のメンテナンス等を行うことができる。また、上記肉薄部は視認可能に形成されているため、同肉薄部が破壊されたか否かを確認することができる。従って、不正に上記制御ボックスの閉鎖状態が解除された痕跡を認知することができる。
【００１５】
なお、破壊された上記肉薄部を介して延設された上記封止板は、それ以降上記蓋部材または上記皿部材を拘束することができない。すなわち、上記蓋部材と上記皿部材との相対固定に利用することができなくなるため、以降の上記蓋部材と上記皿部材との相対固定を行うための予備の上記封止板と上記ピン受け部が複数組備えられる。
【００１６】
手段５
手段５にかかる発明は、手段４に記載の発明において、複数備えられた上記ピン受け部は並列し、隣接する上記ピン受け部同士が連結される構成としてある。
すなわち、上記ピン受け部は、上記制御ボックスだけでなく隣接する上記ピン受け部とも接合されるため、上記ピン受け部を上記制御ボックスから離脱させるような破壊行為をしくくすることができる。また、必要な破壊箇所も増大するため、上記ピン受け部を上記制御ボックスから離脱させるような破壊行為の痕跡を認知しやすくすることができる。
【００１７】
手段６
手段６にかかる発明は、手段２から手段５のいずれかに記載の発明において、上記ピンの先端部には鋸刃状の鋸刃部が形成され、上記ピン受け板に形成されたバネ片が同鋸刃部に食い込むことにより上記ピンの先端部は抜け止めされる。
すなわち、上記ピン受け部に差し込まれる上記ピンの先端部に鋸刃状の鋸刃部を形成し、同鋸刃部に食い込むバネ片を上記ピン受け板に備えることにより、上記ピンの先端部は上記ピン受け部の内部にて抜け止め保持される。
【００１８】
手段７
手段７にかかる発明は、手段２から手段６のいずれかに記載の発明において、上記ピン受け部は一方に開口面を有する略箱状に形成され上記ピン受け板は同開口面を介して内部に取り付けられるとともに、
上記封止板は、上記ピン受け部の上記開口面を塞ぐ蓋板である構成としてある。
すなわち、略箱状に形成された上記ピン受け部の開口面を介して上記ピン受け板は内部に取り付けられる。上記開口面は上記封止板により塞がれるため、上記ピン受け部は外部から閉鎖的な空間となる。従って、上記ピン受け部の内部に異物を侵入させて上記ピンの先端部の抜け止め状態を解除することが防止できる。また、上記封止板の外側は上記保護板が覆うため、上記封止板を貫通しつつ異物を上記ピン受け部の内部に侵入させることは困難となる。
【００１９】
手段８
手段８にかかる発明は、手段５から手段７のいずれかに記載の発明において、複数の上記ピン受け部をそれぞれ視認可能な位置まで延設し確認部が形成されるとともに、それぞれの確認部は視認可能な位置において互いに接合される構成としてある。
すなわち、複数設けられた上記ピン受け部はそれぞれ延設されて視認可能な確認部が設けらるため、仮に上記ピン受け部が上記蓋部材または上記皿部材から離脱されても、そのことを簡単に視認することができる。従って、不正の痕跡を簡単に確認することができる。また、それぞれの同確認部は互いに連結されるため、上記ピンが差し込まれている上記ピン受け部のみを上記制御ボックスから離脱させようとすると、上記確認部も破壊しなければならない。この場合、上記確認部の破断形状が露わとなるため、より確実に不正の痕跡を認識することができる。
【００２０】
手段９
手段９にかかる発明は、手段８に記載の発明において、上記確認部の表面は内部とは異なる色に着色される構成としてある。
すなわち、上記確認部における破断した部分は内部の色が露出するため、表面の色とは異なる色となり、上記確認部の破断の痕跡が確認しやすくなる。
【００２１】
手段１０
手段１０にかかる発明は、手段７から手段９のいずれかに記載の発明において、上記ピン受け部の一壁面は上記制御ボックスを構成する上記蓋部材または上記皿部材の壁面の一部と共通化した共通壁面である構成としてある。
すなわち、略箱状の上記ピン受け部の一壁面は、上記制御ボックスを構成する上記蓋部材または上記皿部材の壁面の一部で構成されるため、上記ピン受け部が上記蓋部材または上記皿部材に接するように配設される。従って、上記ピン受け部を上記制御ボックスから離脱させるような破壊を行うことが困難となる。また、壁面の共有化が図れるため構造も簡易化させることができる。
【００２２】
手段１１
手段１１にかかる発明は、手段７から手段１０のいずれかに記載の発明において、上記ピン受け部の内壁面に内接する金属製の内接板が備えられる構成としてある。
すなわち、上記ピン受け部の内壁面に金属製の内接板を内接させることにより、上記ピン受け部の内部に異物を侵入させ同内部に備えられた上記バネ片が破壊れることを防止することができる。
【００２３】
手段１２
手段１２にかかる発明は、手段３から手段１１のいずれかに記載の発明において、上記ピン受け部の内部には上記ピンが差し込まれる際に、同ピンに摺接するガイド壁が形成される構成としてある。
すなわち、上記ガイド壁が上記ピンに摺接しガイドするため、上記ピンを上記ピン受け部に差し込みやすくすることができる。
【００２４】
手段１３
手段１３にかかる発明は、手段７から手段１２のいずれかに記載の発明において、上記ピン受け板は上記ピンが差し込まれる際に、上記ピン受け部の内部にて同ピンの先端部に摺接する構成としてある。
すなわち、上記ピン受け板が上記ピンに摺接しガイドするため、上記ピンを上記ピン受け部に差し込みやすくすることができる。
【００２５】
手段１４
手段１４にかかる発明は、手段１１から手段１３のいずれかに記載の発明において、上記ピン受け板は上記内接板と一体的に形成される構成としてある。
すなわち、部品点数を減少させることができる。
【００２６】
手段１５
手段１５にかかる発明は、手段１０から手段１４のいずれかに記載の発明において、上記ピン受け板は上記共通壁面まで延設され、同共通壁面に形成された係合部に係止される構成としてある。
すなわち、上記ピン受け板を除去するために上記係合部を破壊しようとしても、上記係合部は上記共通壁面に形成されるため上記制御ボックス自体も破壊させなければならない。従って、破壊の規模が大きくなり、不正の痕跡が確認しやすくなる。
【００２７】
手段１６
手段１６にかかる発明は、手段１５に記載の発明において、上記係合部は、上記開口面側に向かって略垂直に立設する略矩形状部材であり、同係合部の上記開口面側の端部および上記開口面とは反対側の端部は幅が広く形成され、同両端部の間には一定幅部分が形成されるとともに、
上記ピン受け板は略コの字状に形成され、その互いに平行な二平面で上記係合部の一定幅部分を挟み込むことにより上記係合部に係合される構成としてある。
【００２８】
すなわち、上記係合部は略矩形状に形成され、上記ピン受け板は幅方向に向かい合う略平行な二平面により同係合部の一定幅部分を幅方向に挟み込んで係合する。上記係合部は、上記開口面に向かって略垂直に立設し、上記開口面側の端部および上記開口面とは反対側の端部は上記一定幅部分より幅が広く形成される。従って、上記ピン受け板を上記開口面側および上記開口面とは反対側に抜き取ろうとすると、幅が広く形成された上記係合部の上記開口面側の端部および上記開口面とは反対側の端部に干渉する。従って、上記ピン受け板を上記開口面側および上記開口面とは反対側に抜き取るためには、互いに平行な上記二平面の間隔を押し広げ、同両端部に干渉しないようにする必要がある。すなわち、略コの字状に形成された上記ピン受け板を変形させなければならず、容易に上記ピン受け板を上記開口面側および上記開口面とは反対側に抜き取ることをできなくすることができる。
【００２９】
手段１７
手段１７にかかる発明は、手段１６に記載の発明において、上記係合部の上記開口面側の端部は上記開口面から遠ざかるにつれ幅が広くなるように形成される構成としてある。
すなわち、上記ピン受け板を上記開口面から装着させる際にも、互いに平行な上記二平面の間隔を押し広げる必要があるが、上記係合部の上記開口面側の端部は上記開口面から遠ざかるにつれ幅が広くなるように形成されるため、同端部にガイドされて次第に間隔を広げるように変形することができる。互いに平行な上記二平面が上記係合部の上記開口面側の端部を通過しきると、上記ピン受け板は原型状に復帰し上記二平面は上記一定幅部分を挟み込む。
【００３０】
手段１８
手段１８にかかる発明は、手段３から手段１７のいずれかに記載の発明において、上記封止板および上記保護板には上記ピンを貫通させるための貫通穴が形成されるとともに、上記ピンにおける上記保護板より外側に突出する突出部は、上記貫通穴の径より大きく形成される構成としてある。
すなわち、上記貫通穴の周囲が上記ピンにおける上記保護板より外側に突出する上記突出部に干渉するため、上記貫通穴を上記ピン受け部に対して上記ピンの差し込み方向にも拘束することができる。なお、上記突出部と上記封止板が干渉する際には、これらの間に金属製の上記保護板が介在するため、上記貫通穴の周囲が破壊されることが防止できる。
【００３１】
手段１９
手段１９にかかる発明は、手段１８に記載の発明において、上記ピンは両端に上記先端部を有する略Ｕ字状に形成され、上記鋸刃部はそれぞれの上記先端部において互いに内側に向かい合うように形成されるとともに、それぞれの上記先端部に内側から摺接する互いに平行な上記ピン受け板が上記係合部を幅方向外側から挟み込んで係合する構成としてある。
【００３２】
すなわち、上記ピンは、両端に上記先端部を有する略Ｕ字状に形成され、同両先端部には互いに内側に対向する上記鋸刃部が形成される。上記ピン受け板は上記ピンの両先端部の内側にて同両先端部に摺接するため、上記ピンの両先端部は、互いに平行な上記ピン受け板の外側に差し込まれることとなる。従って、互いに平行な上記ピン受け板同士の間隔を押し広げようとしても、上記ピンが外側から干渉しこれを制限する。すなわち、上記係合部を挟み込む互いに平行な上記ピン受け板同士の間隔を押し広げることが防止されるため、上記ピン受け板が抜き取られることを防止することができる。
【００３３】
手段２０
手段２０にかかる発明は、手段２から手段１９のいずれかに記載の発明において、上記ピンは剛性が高い金属で形成される構成としてある。
すなわち、上記ピンが破壊されにくく、強固に上記皿部材と上記蓋部材とを固定することができる。
【００３４】
手段２１
手段２１にかかる発明は、手段３から手段２０のいずれかに記載の発明において、上記封止板および上記保護板は、同封止板から外側に向けて立設する防護壁に取り囲まれる構成としてある。
すなわち、上記封止板は、外側から上記保護板とともに上記防護壁によって保護されるため、上記ピン受け部に異物が侵入されることが防止できる。
【００３５】
手段２２
手段２２にかかる発明は、手段１８から手段２１のいずれかに記載の発明において、上記突出部は、上記防護壁に囲まれた空間に収容される構成としてある。
すなわち、上記突出部を上記防護壁に囲まれた空間に収容させることにより、上記突出部をペンチ等により摘もうとしても、上記防護壁が妨害する。従って、上記ピンを外側から摘んで無理矢理引き抜くことが防止できる。
【００３６】
手段２３
手段２３にかかる発明は、手段７から手段２２のいずれかに記載の発明において、上記突出部は、上記封止板に対して略平行になるように屈曲され押し込み面が形成される構成としてある。
すなわち、上記突出部を上記封止板に対して略平行に屈曲せることにより、上記封止板をさらに外側から保護することができる。また、面で上記ピンを押すことができるため、上記ピンを差し込みやすくすることができる。
【００３７】
手段２４
手段２４にかかる発明は、手段０から手段２３のいずれかに記載の発明において、上記皿部材と上記蓋部材は透明な合成樹脂で形成される構成としてある。
すなわち、上記制御ボックスを開放させることなく上記制御基板の状態を視認することができる。
【００３８】
手段２５
手段２５にかかる発明は、手段０から手段２５のいずれかに記載の発明において、上記皿部材と上記蓋部材とは互いにスライド可能であり、上記皿部材の開口部を上記蓋部材が閉鎖する両者の相対位置にてスライドが停止する構成としてある。
すなわち、上記皿部材と上記蓋部材とで簡単に上記制御ボックスを閉鎖させることができる。
【００３９】
手段２６
手段２６にかかる発明は、手段０から手段２５のいずれかに記載の発明において、上記保護板は、波状に屈曲され剛性が確保される構成としてある。
すなわち、上記保護板の剛性を簡易に向上させ、より確実に上記封止板や上記ピン受け部の内部を保護することができる。
【００４０】
手段２７
手段２７にかかる発明は、手段０から手段２６のいずれかに記載の発明において、上記保護板は、複数回折り返すことにより、複数の層状に形成される構成としてある。
すなわち、上記保護板の強度を簡易に向上させ、より確実に上記封止板や上記ピン受け部の内部を保護することができる。
【００４１】
手段２８
手段２８にかかる発明は、手段２２から手段２７のいずれかに記載の発明において、上記保護板の外縁は、上記防護壁と上記封止板とが直交する部位において上記封止板と略平行に形成された溝に挿入される構成としてある。
すなわち、上記保護板の外縁を上記防護壁に形成された上記溝に保持させることにより、上記保護板が上記封止板から引き剥がされることを防止することができる。
【００４２】
手段２９
手段２９にかかる発明は、手段０から手段２８のいずれかに記載の発明において、上記保護板は、同保護板の裏側の状態が外側から視認できるようにメッシュ状に形成されている構成としてある。
すなわち、上記保護板の裏側における不正を監視することが可能となる。
【００４３】
手段３０
手段３０にかかる発明は、手段１８から手段２９のいずれかに記載の発明において、上記保護板の一部は屈曲されて上記封止板に形成された上記貫通穴の壁面を覆う構成としてある。
すなわち、上記貫通穴の径を広げるような破壊を防止することができる。
【００４４】
手段３１
手段３１にかかる発明は、手段２４から手段３０のいずれかに記載の発明において、上記押し込み面は上記防護壁に囲まれた上記封止板を外側から覆う構成としてある。
すなわち、上記封止板および上記保護板をさらに外側から保護することができる。
【００４５】
以上説明したように、手段０にかかる発明によれば、制御ボックスが不正に開放されない遊技機を提供することができる。
手段１にかかる発明によれば、挿入部材が破壊されることを防止することができる。
手段２にかかる発明によれば、保護板とピン受け板とが切断されることをが防止でき、確実にピン受け板が除去された痕跡を認識することができる。
手段３にかかる発明によれば、制御ボックスにおける制御基板の収容スペースを確保することができる。
手段４にかかる発明によれば、制御基板のメンテナンスを行うことができる。
手段５にかかる発明によれば、ピン受け部を破壊させられにくくすることができる。
手段６にかかる発明によれば、ピンが引き抜かれることを防止することができる。
手段７にかかる発明によれば、ピン受け部の内部を外部から保護することができる。
【００４６】
手段８にかかる発明によれば、ピン受け部が破壊させられた痕跡を簡単に視認することができる。
手段９にかかる発明によれば、ピン受け部が破壊させられた痕跡を簡単に視認することができる。
手段１０にかかる発明によれば、構造を簡易化させることができる。
手段１１にかかる発明によれば、ピン受け部の内部が破壊されようにすることができる。
手段１２にかかる発明によれば、ピンを簡単に差し込むことができる。
手段１３にかかる発明によれば、ピンを簡単に差し込むことができる。
【００４７】
手段１４にかかる発明によれば、部品点数を減少させることができる。
手段１５にかかる発明によれば、ピン受け板を除去されにくくすることができる。
手段１６にかかる発明によれば、ピン受け板を除去させられにくくすることができる。
手段１７にかかる発明によれば、内接板等をピン受け部に装着しやすくすることができる。
【００４８】
手段１８にかかる発明によれば、ピンの差し込み方向に皿部材と蓋部材を拘束することができる。
手段１９にかかる発明によれば、ピン受け板をピン受け部から抜き取られにくくすることができる。
手段２０にかかる発明によれば、強固に皿部材と蓋部材とを固定することができる。
手段２１にかかる発明によれば、ピン受け部の内部や封止板を外部から保護することができる。
手段２２にかかる発明によれば、ピンが抜き取られることを防止することができる。
【００４９】
手段２３にかかる発明によれば、ピンを差し込みやすくすることができる。
手段２４にかかる発明によれば、制御基板の状態を外部から視認することができる。
手段２５にかかる発明によれば、制御ボックスの閉鎖位置における位置決めを簡単に行うことができる。
手段２６にかかる発明によれば、保護板の剛性を向上さりことにより確実にピン受け部の内部や封止板を外部から保護することができる。
手段２７にかかる発明によれば、保護板の強度を向上させることにより確実にピン受け部の内部や封止板を外部から保護することができる。
手段２８にかかる発明によれば、保護板が除去されることを防止することができる。
手段２９にかかる発明によれば、保護板の裏側における不正も確認することができる。
手段３０にかかる発明によれば、貫通穴の壁面も保護することができる。
手段３１にかかる発明によれば、封止板および上記保護板をさらに外側から保護することができる。
【００５０】
以下、下記の順序に従って本発明の実施形態を説明する。（１）制御ボックスの設置例：（２）第一の実施形態にかかる制御ボックスについて：（３）第一の実施形態にかかる封止部について：（４）第二の実施形態：（５）第三の実施形態：（６）第四の実施形態：（７）まとめ：
【００５１】
（１）制御ボックスの設置例：
図１は本発明を適用したパチンコ機を背面から見て示しており、制御ボックス７０が背面側から視認できるように装着されている。同図において、制御ボックス７０の短辺の一方の外部に封止部７０ａが備えられることにより、制御ボックス７０は外部から閉鎖された状態を維持し、不正に開放されることを防止している。図に示すように、制御ボックス７０はメンテナンスのためにパチンコ機６０を開いたときには、パチンコ機６０の背面側から直に視認できる位置に配設されている。従って、制御ボックス７０内に不正をするために封止部７０ａ等が破損されていれば、次のメンテナンス時にはすぐに見つけることが可能となっている。また、制御ボックス７０は透明な合成樹脂で形成されており、その収容された制御基板の様子もパチンコ機６０の背面側から直に視認できる。
また、図２はスロットマシン（パチスロ）８０の背面を示している。同スロットマシン８０の背面側にも矩形箱形の制御ボックス９０が装着されている。同図において、制御ボックス９０の短辺の一方の外部に封止部９０ａが備えられることにより、制御ボックス９０は外部から閉鎖された状態を維持し、不正に開放されることを防止している。同図に示すように、メンテナンスのためにスロットマシン８０を開いたときには容易に封止部９０ａを視認できる。従って、制御ボックス９０内に手を加えるなどのために封止部９０ａが破損されていれば、次のメンテナンス時にすぐに見つけることが可能となっている。
【００５２】
図示していないが、パチロットにも同様に適用可能である。パチロットは、メダルの代わりにパチンコ遊技球を利用するものであり、例えば、パチンコ球の５個がメダル１個に相当して遊技を楽しむことができる。
【００５３】
（２）第一の実施形態にかかる制御ボックスについて：
図３は本発明の第一の実施形態にかかる制御ボックス７０およびその外部に設けられた封止部７０ａを上方（図１においてパチンコ機の背面）から見て示している。同図において矢印で示す方向をそれぞれ奥行き方向と幅方向として以下説明する。制御ボックス７０および封止部７０ａは下側に位置する皿部材１０と、上側に位置する蓋部材２０とで構成されている。また、図４は蓋部材２０と皿部材１０をスライドさせて制御ボックス７０を開放させた状態を示している。同図において、皿部材１０は下方に深みのある皿状に形成された皿本体部１４を有し、蓋部材２０は上方に深みを有する蓋状に形成された蓋本体部２４を有している。そして、皿本体部１４の開口面と蓋本体部２４の開口面とを上下に向かい合わせることにより、図３のように外部と閉鎖された略箱状の制御ボックス７０を形成している。閉鎖された制御ボックス７０の内部には制御基板２５が収容されており、同制御基板２５には各種のＲＯＭ２６ａ〜２６ｆ等が実装されている。
【００５４】
蓋本体部２４の幅方向両端の辺には略板状の一対のレール挿入部２４ａ１，２４ａ２が形成されており、皿本体部１４の幅方向両端の辺には一対の略コの字状のガイドレール１４ａ１，１４ａ２が形成されている。そして、ガイドレール１４ａ１，１４ａ２がレール挿入部２４ａ１，２４ａ２をそれぞれ幅方向外側から挟み込むことにより、蓋部材２０と皿部材１０とが奥行き方向にスライド可能となっている。
【００５５】
皿本体部１４の奥方の辺には略コの字状のガイドレール１４ｃが形成されており、蓋本体部２４の奥方の辺にはレール挿入部２４ｃが形成されている。レール挿入部２４ｃは、図３に示すように蓋部材２０と皿部材１０とが閉鎖位置となるときにはガイドレール１４ｃに突き当たって挟み込まれる。従って、蓋部材２０と皿部材１０とを閉鎖位置にて確実に位置決めすることができる。
【００５６】
皿部材１０は、同皿本体部１４を奥方に延設して形成したピン受け部１２と予備ピン収容箱１３とを備えている。ピン受け部１２は幅方向に並列して５個形成されており、その外側に略箱状の予備ピン収容箱１３が形成されている。一方、蓋部材２０は、同蓋本体部２４を奥方に延設して形成したピン蓋部２２と予備ピン蓋２３とを備えている。ピン蓋部２２は皿部材１０に形成されたピン受け部１２に対応するように幅方向に並列して５個形成されており、その外側に予備ピン収容箱１３に対応した予備ピン蓋２３が形成されている。
【００５７】
ピン受け部１２は、略箱状に形成され上方に開口しており、上方の開口面から金属片５０を装着することにより、ピン４０を差し込ませることが可能となる。ピン４０がいずれかのピン受け部１２に差し込まれると、蓋部材２０と皿部材１０とは相対的に固定され、制御ボックス７０は閉鎖状態で封止される。一方、予備ピン収容箱１３も略箱状に形成され上方に開口しており、ピン４０の予備を収容することが可能となっている。皿部材１０は透明な合成樹脂で一体成型されている。なお、封止部７０ａは、ピン受け部１２とピン蓋部２２とピン４０と金属片５０とで構成される。
【００５８】
そして、封止部７０ａによる固定を簡単に解除できないようにすることで、制御基板２５のＲＯＭ２６ａ〜２６ｆを差し替える等の不正を防止している。ただし、制御基板２５のメンテナンス等を行う必要もあるため、必要に応じて封止部７０ａによる固定は解除することができるとともに、その解除の痕跡が瞭然と認識できるようにされている。すなわち、封止部７０ａにおける固定解除の痕跡と、管理者が正規に行ったメンテナンス等の記録とを参照することで、不正な固定解除が介在したか否かを判断することが可能となっている。ピン受け部１２とピン蓋部２２とピン４０および金属片５０とで構成される封止部７０ａの詳細な機構等については以下に詳述する。
【００５９】
（３）第一の実施形態にかかる封止部について：
図５ａは５個並列するピン蓋部２２のうち１個を上方から見て示し、図５ｂはピン蓋部２２における図５ａに示す断面線Ｘ１での断面を示している。図５ａにおいて、略板状の封止板２２ａが防護壁２２ｄに取り囲まれて形成されており、幅方向に並ぶ矩形状の一対の貫通穴２２ｂ１，２２ｂ２が形成されている。封止板２２ａにおける貫通穴２２ｂ１，２２ｂ２の奥方には幅方向に長細い切り欠き２２ｅが形成されている。ピン蓋部２２と蓋本体部２４は厚みが薄く形成された肉薄部２６を介して連結している。肉薄部２６は断面積が小さくなるように形成されているため、他の部分より強度が弱く破断しやすい。また、ピン蓋部２２は幅方向に隣接する蓋部とも肉薄部２６を介して連結されている。
【００６０】
図５ｂにおいて、防護壁２２ｄは封止板２２ａに対して略垂直に立設されている。奥方に位置する防護壁２２ｄの壁面には切り欠き２２ｅが形成されており、同壁面の最下端は封止板２２ａより高い位置となっている。ピン蓋部２２と蓋本体部２４とを連結する肉薄部２６の下方にはレール挿入部２４ｃが奥方に向かって形成されている。
【００６１】
図６ａは５個並列するピン受け部１２のうち１個を上方から見て示している。図６ｂ，図７ａ，図７ｂはピン受け部１２における図６ａに示す断面線Ｘ１，Ｘ２，Ｙ１での断面をそれぞれ示している。図６ａにおいてピン受け部１２は、略箱状に形成されており、上方の開口面１２ｃにて開口している。ピン受け部１２には、ピン受け部１２の内壁面によって略矩形状に囲まれた一対のガイド溝１２ｂ１，１２ｂ２が奥行き方向の位置を互いに一致させて形成されている。従って、ピン受け部１２の内部におけるガイド溝１２ｂ１，１２ｂ２が形成された部位は幅が広くなっている。なお、幅方向に隣接するピン受け部１２同士は互いに接合されている。
【００６２】
図６ｂにおいて、ピン受け部１２の奥方には上方に突出する略板状の確認部１２ａが形成されている。この確認部１２ａでもピン受け部１２同士を互いに連結している。皿本体部１４の奥方を区画する壁面１４ｂから前方に向かって上下一対の略板状部を突設することにより略コの字状のガイドレール１４ｃを形成している。さらに、皿本体部１４の奥方を区画する壁面１４ｂは、ピン受け部１２の内部を前方から区画する壁面ともなっている。すなわち、壁面１４ｂは、皿本体部１４の奥方を区画する壁面と、ピン受け部１２の内部を前方から区画する壁面との共通壁面となっている。
【００６３】
図７ａおよび図７ｂにおいて、共通壁面１４ｂの所定部位を肉抜きすることにより係合部１４ｄを形成している。この係合部１４ｄにおける開口面１２ｃ側の端部には上抜け止め部１４ｄ１が形成されている。この上抜け止め部１４ｄ１は、上方から下方となるにつれて次第に幅が広くなる台形状に形成されている。一方、係合部１４ｄにおける下方部分は、幅が広い下抜け止め部１４ｄ３が形成されており、同下抜け止め部１４ｄ３の幅方向の両端はピン受け部１２の側面に到達している。係合部１４ｄにおける上抜け止め部１４ｄ１と下抜け止め部１４ｄ３との間には幅が一定となる一定幅部１４ｄ２が形成されている。一方、共通壁面１４ｂの係合部１４ｄが形成されない部位は肉抜きされ、切り欠き１４ｅが形成されている。
【００６４】
図８は金属片５０を斜めから見て示している。同図において金属片５０の上部には略板状の保護板５１が形成されており、同保護板５１と略平行に対面するように略板状の底面板５４が形成されている。保護板５１における奥行き方向中程には細幅部５１ａが形成されている。保護板５１と底面板５４とを連結する側面板５２が保護板５１と底面板５４に直交するように形成されている。側面板５２の高さ方向中程における幅方向外側に一対の略板状のピン受け板５３ａ，５３ｂが側面板５２に対して略垂直に形成されている。また、ピン受け板５３ａ，５３ｂは互いに幅方向に対面し、略平行となっている。すなわち、上方から見るとピン受け板５３ａ，５３ｂと側面板５２とは略コの字状に向かい合っている。従って、ピン受け板５３ａとピン受け板５３ｂとが対面する間隔は側面板５２の幅と同等となっている。なお、同側面板５２の幅は上述した係合部１４ｄの一定幅部１４ｄ２の幅と同等となっている。
【００６５】
ピン受け板５３ａ，５３ｂにおける前方の自由端の上下部に略正方形の切り欠きを設けることにより上下方向に短い係止端５３ａ３，５３ｂ３が形成されている。ピン受け板５３ａ，５３ｂの略中央部には、それぞれ外側に向けてバネ片５３ａ１，５３ａ２，５３ｂ１，５３ｂ２が形成されている。バネ片５３ａ１，５３ａ２，５３ｂ１，５３ｂ２はピン受け板５３ａ，５３ｂの略中央部に二個ずつ略Ｕの字状の切り込みを上下に並べて形成し、同切り込みに囲まれた部位を幅方向外側に押し出すことにより形成している。同切り込みは略Ｕの字状に形成されるため、同切り込みに囲まれた部位の下端が最もピン受け板５３ａ，５３ｂから離間する。バネ片５３ａ１，５３ａ２，５３ｂ１，５３ｂ２はバネ性を有しており、内側に押し込む外力に対しては外側に復元しようとして反発する。
【００６６】
なお、本実施形態において金属片５０は、一枚の金属板を所定の形状に切断加工をし、屈曲することにより形成している。従って、保護板５１と側面板５２とピン受け板５３ａ，５３ｂと底面板５４およびバネ片５３ａ１，５３ａ２，５３ｂ１，５３ｂ２とは一体部材として形成されている。
【００６７】
図９はピン４０を斜めから見て示している。ピン４０は金属片５０と比較して厚みが厚く剛性が高く形成されている。同図において、ピン４０を略逆Ｕ字状に形成することにより、その下部に２本の略棒状の先端部４２ａ，４２ｂを形成している。先端部４２ａには鋸刃部４２ａ１，４２ａ２が形成され、先端部４２ｂには鋸刃部４２ｂ１，４２ｂ２が形成されている。鋸刃部４２ａ１，４２ａ２と鋸刃部４２ｂ１，４２ｂ２は、互いに内側に対向している。鋸刃部４２ａ１，４２ａ２，４２ｂ１，４２ｂ２は先端部４２ａ，４２ｂの軸方向に対して略直交する面と、鋭角的に交差する斜面とで構成され、この斜面が下方に向くように配向されている。一方、ピン４０の上部には略板状の突出部４４が形成されており、同突出部４４を先端部４２ａ，４２ｂに対して略垂直に屈曲することにより略板状の押し込み面４４ａを形成している。
【００６８】
以上説明したピン蓋部２２とピン受け部１２とピン４０と金属片５０とからなる封止部７０ａは、図１０〜図１５に示す所定の組付け作業を行うことにより、ピン蓋部２２をピン受け部１２に対して相対固定することができる。すなわち、ピン蓋部２２と一体成型された蓋本体部２４と、ピン受け部１２と一体成型された皿本体部１４とを、制御ボックス７０の閉鎖位置となる位置にて相対固定することができる。
【００６９】
図１０ａは、内部に金属片５０を装着した状態のピン受け部１２を上方から見て示している。図１０ｂ，図１１ａ，図１１ｂはこのときのピン受け部１２における断面線Ｘ１，Ｘ２，Ｙ２での断面を示している。金属片５０は、開口面１２ｃからピン受け部１２の内部に押し下げることにより装着されている。
【００７０】
図１０ａにおいて、保護板５１がピン受け部１２の上方に位置しており、ピン受け部１２の開口面１２ｃをほぼ覆い隠している。ただし、保護板５１の細幅部５１ａが設けられた部位は覆い隠されず、下方のピン受け部１２におけるガイド溝１２ｂ１，１２ｂ２が見えている。さらに、このガイド溝１２ｂ１，１２ｂ２はピン受け板５３ａ，５３ｂにより分断されており、幅方向両側にそれぞれ上方に開口した一対の略矩形の空間が形成されている。なお、保護板５１の細幅部５１ａが設けられた位置と、バネ片５３ａ１，５３ａ２，５３ｂ１，５３ｂ２が形成された位置が一致するように形成されているため、上方に形成されたバネ片５３ａ２，５３ｂ２が上方から見えている。
【００７１】
図１０ｂにおいて、金属片５０の底面板５４がピン受け部１２の底面に内接しており、側面板５２はピン受け部１２の奥方の面に内接している。すなわち、底面板５４と側面板５２は本発明にいう内接板を構成している。保護板５１はピン受け部１２の開口面１２ｃより上方にあり、同開口面１２ｃとは所定の距離を隔てている。図１１ａにおいて、ピン受け板５３ａ，５３ｂは、ピン受け部１２を奥行き方向に横切っており、その先端の係止端５３ａ３，５３ｂ３は、皿本体部１４との共通壁面１４ｂまで到達し、同壁面１４ｂに形成された係合部１４ｄに係合している。係止端５３ａ３，５３ｂ３は係合部１４ｄにおける上抜け止め部１４ｄ１を通過し、一定幅部１４ｄ２の高さと一致するまで降下させられている。
【００７２】
図１１ｂにおいて、両側のピン受け板５３ａ，５３ｂの係止端５３ａ３，５３ｂ３は一定幅部１４ｄ２を外側から挟み込んでいる。ここで、金属片５０をピン受け部１２から上方に引き抜こうとすると、ピン受け板５３ａ，５３ｂの係止端５３ａ３，５３ｂ３の上部が略台形状の上抜け止め部１４ｄ１に下方から当接するため、引き抜くことができない。金属片５０をピン受け部１２から上方に引き抜くためには、ピン受け板５３ａ，５３ｂの係止端５３ａ３，５３ｂ３の間隔を上抜け止め部１４ｄ１よりも広げる必要がある。
【００７３】
上述したように係止端５３ａ３，５３ｂ３の間隔は側面板５２の幅により規定され、この側面板５２の幅は一定幅部１４ｄ２と同等となっているため、この間隔を広げるためには金属片５０を本来の形状から変形させる必要がある。そのため、金属片５０をピン受け部１２から上方に引き抜くことは困難となっている。一方、仮にピン受け部１２の底面を完全に除去し、金属片５０をピン受け部１２から下方に引き抜こうとすると、係止端５３ａ，５２ａの下端が、係合部１４ｄの下抜け止め部１４ｄ３に干渉する。下抜け止め部１４ｄ３の幅方向の両端はピン受け部１２の側面まで延設されているため、係止端５３ａ３，５３ｂ３の間隔を広げてもピン受け部１２から下方に引く抜くことができない。
【００７４】
以上説明したように、係合部１４ｄを破壊しない限り、一度装着した金属片５０をピン受け部１２から上下に引く抜くことは非常に困難となっている。一方、金属片５０をピン受け部１２に装着する際には、開口面１２ｃから侵入する金属片５０の係止端５３ａ３，５３ｂ３の下端は、下方に向かって幅広な略台形状の上抜け止め部１４ｄ１の斜面に沿って滑りながら押し広げられる。従って、無理なく係止端５３ａ３，５３ｂ３の間隔を広げるように変形させつつ金属片５０を装着することができる。このようにして金属片５０が装着されたピン受け部１２は、ピン４０が挿入可能となる。
【００７５】
図１２ａは、蓋部材２０と皿部材１０とが閉鎖位置となるときのピン受け部１２を上方から見て示している。図１２ｂ，図１３ａ，図１３ｂはこのときのピン受け部１２における断面線Ｘ１，Ｘ２，Ｙ２での断面を示している。図１２ｂにおいて、蓋本体部２４のレール挿入部２４ｃは皿本体部１４のガイドレール１４ｃに挟み込まれており、蓋本体部２４と皿本体部１４とで閉鎖的な制御ボックス７０を形成している。このとき、封止板２２ａは保護板５１とピン受け部１２の開口面１２ｃとの間に挿入されており、封止板２２ａによりピン受け部１２の開口面１２ｃが塞がれている。従って、封止板２２ａの貫通穴２２ｂ１，２２ｂ２および共通壁面１４ｂの切り欠き１４ｅを除いては、ピン受け部１２の内部は外部に対して閉鎖的な空間をとなる。
【００７６】
さらに、共通壁面１４ｂは係合部１４ｄを形成するために所定部位が肉抜きされ切り欠き１４ｅが形成されていたが、図１３ｂに示すように前方からレール挿入部２４ｃが当接するため切り欠き１４ｅも内側から塞がれている。従って、ピン受け部１２の内部は、閉鎖された制御ボックス７０の内部とは完全に独立した空間となる。すなわち、仮にピン受け部１２が破壊されたとしても、制御ボックス７０の内部に侵入しようとする異物を遮断することができる。
【００７７】
一方、図１２ａおよび図１３ａにおいて封止板２２ａに形成された貫通穴２２ｂ１，２２ｂ２は、ピン受け部１２のガイド溝１２ｂ１，１２ｂ２と、保護板５１の細幅部５１ａと、ピン受け板５３ａ，５３ｂのバネ片５３ａ１，５３ａ２，５３ｂ１，５３ｂ２と奥行き方向の位置が全て一致している。すなわち、ピン４０の先端部４２ａ，４２ｂを差し込ませるための一対の開口部が形成されるとともに、同開口部の下方には先端部４２ａ，４２ｂに形成された鋸刃部４２ａ１，４２ａ２，４２ｂ１，４２ｂ２に食い込むためのバネ片５３ａ１，５３ａ２，５３ｂ１，５３ｂ２がそれぞれ位置することとなる。
【００７８】
図１４ａは、ピン受け部１２にピン４０を差し込んだ状態のピン受け部１２を上方から見て示している。図１４ｂ，図１５は、このときのピン受け部１２における断面線Ｘ１，Ｙ２での断面をそれぞれ示している。図１４ａ，図１４ｂにおいて、ピン４０の押し込み面４４ａは、封止板２２ａおよび保護板５１に対して略平行となっており、これらの奥方部を上方から覆っている。押し込み面４４ａの外縁は防護壁２２ｄにほぼ接触する位置まで到達しており、防護壁２２ｄに囲まれた空間に押し込み面４４ａ全体が収容されている。
【００７９】
図１５において、ピン４０の先端部４２ａ，４２ｂは貫通穴２２ｂ１，２２ｂ２および保護板５１の細幅部５１ａをそれぞれを横切りつつピン受け部１２の内部に侵入している。一方、ピン４０の突出部４４が保護板５１の外側に突出している。先端部４２ａ，４２ｂは外側からピン受け板５３ａ，５３ｂを挟み込んでいる。このとき、ピン受け板５３ａ，５３ｂの外側に突出するバネ片５３ａ１，５３ａ２，５３ｂ１，５３ｂ２は、鋸刃部４２ａ１，４２ａ２，４２ｂ１，４２ｂ２の奥部にそれぞれ食い込んでいる。
【００８０】
先端部４２ａ，４２ｂが上方から侵入する際には、バネ片５３ａ２，５３ａ１，５３ｂ２，５３ｂ１は、鋸刃部４２ａ１，４２ａ２，４２ｂ１，４２ｂ２の先端部４２ａ，４２ｂの軸方向に対して鋭角的に交差する斜面に接触し、これに追従するように内側に押し込まれる。そして、鋸刃部４２ａ１，４２ａ２，４２ｂ１，４２ｂ２が通過するとバネ片５３ａ２，５３ａ１，５３ｂ２，５３ｂ１は元の形状に復元し、鋸刃部４２ａ１，４２ａ２，４２ｂ１，４２ｂ２の奥部に食い込む。従って、それ以降ピン４０を引き抜こうとする際にはバネ片５３ａ２，５３ａ１，５３ｂ２，５３ｂ１の下端部が、鋸刃部４２ａ１，４２ａ２，４２ｂ１，４２ｂ２における先端部４２ａ，４２ｂに対して略垂直な面にそれぞれ当接する。
【００８１】
このようにすることにより、ピン受け板５３ａ，５３ｂ等を破断させない限り、ピン４０を引き抜くことをできなくすることができる。なお、ピン４０は厚みが厚く剛性も高いため破断させたり変形させたりすることは困難となっている。先端部４２ａ，４２ｂが上方から侵入する際には、ガイド溝１２ｂ１，１２ｂ２が先端部４２ａ，４２ｂを外側からガイドしつつ、ピン受け板５３ａ，５３ｂが先端部４２ａ，４２ｂに内側から摺接する。従って、ピン４０を安定した状態で所定の位置に差し込むことが可能となっている。また、ピン４０には差し込み方向と垂直な押し込み面４４ａが設けられているため、ピン４０を簡単に押し込むこと可能となっている。
【００８２】
ここで、ピン受け板５３ａ，５３ｂは先端部４２ａ，４２ｂを抜け止め保持することができれば良く、他の構成であっても良い。例えば、バネ片５３ａ２，５３ａ１，５３ｂ２，５３ｂ１の換わりに、バネ片５３ａ２，５３ａ１，５３ｂ２，５３ｂ１が設けられた箇所に矩形の穴を形成するようにしても良い。この場合、同矩形の穴に鋸刃部４２ａ１，４２ａ２，４２ｂ１，４２ｂ２が外側から侵入し、同矩形の穴の上辺と鋸刃部４２ａ１，４２ａ２，４２ｂ１，４２ｂ２における先端部４２ａ，４２ｂに対して略垂直な面とが干渉することにより先端部４２ａ，４２ｂを抜け止めすることができる。また、同矩形の穴に鋸刃部４２ａ１，４２ａ２，４２ｂ１，４２ｂ２が外側から侵入する際には、ピン受け板５３ａ，５３ｂ自体がそれぞれ内側に撓むように変形し、侵入しきったところで原形状に復帰する。すなわち、ピン受け板５３ａ，５３ｂ自体のバネ性を利用して、先端部４２ａ，４２ｂを抜け止め保持することもできる。
【００８３】
このようにしてピン４０が差し込まれると、ピン４０がかんぬきとなってピン蓋部２２と保護板５１はピン受け部１２に対して移動することができなくなる。すなわち、ピン蓋部２２を奥行き方向にスライドさせようとしても、ピン４０と貫通穴２２ｂ１，２２ｂ２の壁面とが干渉するため、ピン蓋部２２を奥行き方向にスライドさせることができない。一方、ピン蓋部２２を上方に移動させようとしても、ピン４０の突出部４４が貫通穴２２ｂ１，２２ｂ２より大きく形成されているため、突出部４４が封止板２２ａや保護板５１に上方から干渉する。特に、本実施形態においてはピン４０を略Ｕ字状に形成することにより、ピン４０の抜け止め強度が単一のときの二倍になるとともに、封止板２２ａにおける貫通穴２２ｂ１，２２ｂ２に挟まれた部位をくわえ込んで固定するため、より強固に蓋部材２０と皿部材１０とを固定することができる。
【００８４】
また、封止板２２ａと突出部４４との間には保護板５１が介在している。従って、ピン蓋部２２を上方にこじ開けようとして無理な荷重がかかった場合にも、この荷重を保護板５１が封止板２２ａの広い範囲に分散させつつ保護するため合成樹脂性の封止板２２ａが破損されることが防止されている。さらに、封止板２２ａに上方から蓋覆する保護板５１は金属片５０と一体となっている。従って、保護板５１もピン受け部１２側に保持されるため、封止板２２ａを保護板５１によってもピン受け部１２側に拘束させることができる。
【００８５】
封止板２２ａにおける貫通穴２２ｂ１，２２ｂ２の周辺が破壊されることにより、ピン４０がピン蓋部２２を拘束することができなくなる。例えば、貫通穴２２ｂ１，２２ｂ２の穴径が突出部４４より大きくなるように封止板２２ａを破壊することにより、ピン蓋部２２を上方に移動させることが可能となる。また、貫通穴２２ｂ１，２２ｂ２が封止板２２ａの奥方端部まで延長するように封止板２２ａを破壊させれば、ピン蓋部２２は奥行き方向にスライド可能となる。しかし、封止板２２ａは金属製の保護板５１により上方から保護されているため、直接封止板２２ａを破壊することはできなくなっている。
【００８６】
一方、押し込み面４４ａはピン蓋部２２の防護壁２２ｄに囲まれた空間に収容されている。また、図１４ａに示すように、押し込み面４４ａは外縁が防護壁２２ｄにほぼ接触するように嵌り込んでいるため、押し込み面４４ａが形成されたピン４０の突出部４４をペンチ等で摘もうとしても、防護壁２２ｄがこれを妨害する。従って、ピン４０の突出部４４をペンチ等で摘むことは難しく、強引にピン４０を抜き取ることはできなくなっている。
【００８７】
ここで、ピン受け板５３ａとピン受け板５３ｂとが互いに内側に接近するように変形すると、バネ片５３ａ１，５３ａ２，５３ｂ１，５３ｂ２が鋸刃部４２ａ１，４２ａ２，４２ｂ１，４２ｂ２の奥部に食い込む量が減少し、ピン受け状態が弱められることとなる。すると、ピン４０は上方に引き抜くことが可能となる。しかし、ピン受け板５３ａ，５３ｂの自由端となる係止端５３ａ３，５３ｂ３は、係合部１４ｄを内側に狭持しており、これ以上互いに接近することできない。従って、ピン４０とのピン受け状態が弱められることも防止されている。
【００８８】
さらに、ピン受け板５３ａ，５３ｂはピン受け部１２とピン蓋部２２とで閉鎖された空間に収容されている。従って、ピン受け板１２の壁面を破壊する等をしない限り、外部からピン受け板５３ａ，５３ｂを破壊、変形等させてピン４０を抜き取ることはできない。
【００８９】
また、本実施形態においてはピン受け板１２の壁面を金属片５０により内側から防護しているため、ピン受け板１２の壁面を破壊することも困難となっている。具体的には、ピン受け部１２の底面側から異物を侵入させようとする際、金属製の底面板５４がこれを阻止する。なお、底面板５４はピン４０を先端側から押し上げようと底面側から侵入する異物も妨害することができるため、ピン４０を先端側から押し上げることも不可能となっている。ピン受け部１２の奥方側の面から異物を侵入させようとしても、側面板５２がこれを阻止する。
【００９０】
また、幅方向外側から異物を侵入させてピン受け板５３ａ，５３ｂを破壊、変形等させようとしても、剛性の高いピン４０の先端部が外側からピン受け板５３ａ，５３ｂを防護するため、ピン受け板５３ａ，５３ｂを破壊、変形等させることはできない。保護板５１と側面板５２とピン受け板５３ａ，５３ｂと底面板５４とは一枚の金属板を略直角に屈曲させて形成されているため、金属片５０全体としての剛性が高く異物等の侵入により変形させられにくくなっている。
【００９１】
さらに、封止板２２ａの外側から異物を侵入させるために、封止板２２ａを破壊しようとしても、まず金属製の押し込み面４４ａがこれを阻止する。押し込み面４４ａと防護壁２２ｄとの隙間から封止板２２ａを破壊しようとしても、金属製の保護板５１が防護するため、封止板２２ａを破壊することができない。また、保護板５１をめくり上げる等して除去しようとしても、防護壁２２ｄが保護板５１を取り囲んでいるため、簡単に除去することはできない。従って、封止板２２ａを破壊することもできなくなっている。ピン受け部１２の前方側の壁面は皿本体部１４の壁面１４ｂと共用しているため、外部から共通壁面１４ｂや同共通壁面１４ｂに形成された係合部１４ｄを破壊することはできない。従って、外部のあらゆる方向からピン受け部１２の内部に異物等を侵入させピン受け板５３ａ，５３ｂを破壊してピン４０を抜き取ることはできなくなっている。
【００９２】
以上は、本発明の効果としてピン４０が単独で抜き取られにくくなることを説明したが、本発明によればピン受け部１２から金属片５０が抜き取られることも防止することができる。すなわち、まず金属片５０を除去することにより、ピン４０の抜け止め保持を解除しようとする不正も防止することが可能となっている。特に、金属片５０が備えられるピン受け部１２はピン蓋部２２の下方にあり視認しづらい箇所となる。従って、金属片５０を除去するためにピン受け部１２を破壊してもその痕跡が発見しづらいという問題もあった。
【００９３】
以下、本発明の効果としてピン受け部１２から金属片５０が抜き取られにくくなることを説明する。金属片５０が係合する係合部１４ｄは制御ボックス７０の共通壁面１４ｂに形成されているため、制御ボックス７０の外部に延設されたピン受け部１２をいくら破壊しても係合部１４ｄを破壊することはできない。すなわち、制御ボックス７０自体を破壊するか制御ボックス７０を開放させない限り、係合部１４ｄを破壊して金属片５０を抜き取ることは不可能となっている。仮に金属片５０を抜き取ることができたとしても、破壊の痕跡は大規模のものとなるため、不正があったことをすぐに発見することができる。
【００９４】
さらに、金属片５０は、ピン受け板５３ａ，５３ｂにてピン４０と係合しているとともに、封止板２２ａ上の保護板５１が細幅部５１ａにてピン４０にかんぬき状に固定されている。従って、仮に係合部１４ｄを破壊しピン受け部１２の底面に穴を開けて、金属片５０を無理矢理下方に引き抜こうとしても、相当な力を要することとなる。また、保護板５１も一緒に取り除かれるため、金属片５０が下方から引き抜かれたことを簡単に認識することもできる。保護板５１のみを金属片５０から切り離し視認できない部分のみを抜き取ることも考えられるが、防護壁２２ｄが保護板５１を取り囲んでいるため簡単に切り離すことはできなくなっている。また、保護板５１のさらに上方をピン４０の押し込み面が保護しているため、保護板５１を切り離すことは困難となる。
【００９５】
また、上述のとおり係合部１４ｄを破壊することなく金属片５０をピン受け部１２から抜き取るためには、ピン受け板５３ａ，５３ｂの間隔を押し広げる必要がある。しかし、図１５に示すようにピン４０が差し込まれた状態では、ピン受け板５３ａ，５３ｂはピン４０によって内側に拘束されるため互いの間隔を広げることができなくなっている。従って、金属片５０をピン受け部１２から抜き取ることが防止されている。
【００９６】
以上説明したように、本実施形態においてピン４０や金属片５０を抜き取って、蓋部材２０と皿部材１０の固定を解除することは非常に困難となっている。ところが、封止部７０ａを根こそぎ制御ボックス７０から切り離してしまえば、ピン４０や金属片５０を抜き取ることなく封止部７０ａは蓋部材２０と皿部材１０とを固定することができなくなる。しかし、制御ボックス７０を構成する皿本体部１４とピン受け部１２とを切り離す場合には、金属片５０を切断させる必要がある。すなわち、金属片５０はピン受け部１２から皿本体部１４の壁面１４ｂに形成された係合部１４ｄまで横切っているため、ピン受け部１２を皿本体部１４の外部にて切り離すためには必ず金属片５０を切断しなければならない。従って、簡単にピン受け部１２を皿本体部１４から切り離すことはできなくなっている。むろん、皿本体部１４の壁面ごと破壊することにより、ピン受け部１２を皿部材１０から切り離すことも可能ではあるが、その場合大規模な破壊が必要となり痕跡が目立つこととなる。
【００９７】
また、不正の痕跡が目立たない小規模な破壊で済むように使用している（ピン４０が差し込まれている）ピン受け部１２のみを切り離そうとする場合が多い。特に、ピン受け部１２は、蓋部２２の下方に位置し破壊の痕跡を見つけることは困難であるため狙われやすい。図１６は、封止部７０ａを斜めから見て示している。同図において、使用しているピン受け部１２のみを切り離そうとした場合の破断線Ｂ１を示している。本実施形態おいては隣接するピン受け部１２同士は互いに連結されているため、破断線Ｂ１のように多くの部位を切断しなければならない。従って、使用しているピン受け部１２のみを切り離しつつ痕跡を目立たなくすることは困難となっている。さらに、確認部１２ａも隣接するピン受け部１２と連結しているため、確認部１２ａにおいても破断線Ｂ１が形成されることとなる。視認可能な位置まで延設された確認部１２ａにおける破断線Ｂ１は視認しやすく、不正があったことを簡単に認知することができる。
【００９８】
また、確認部１２ａを破断させることなく使用しているピン受け部１２のみを切り離そうとすると、破断線Ｂ２のように切断させなければならず、非常に多くの部位を切断させる必要がある。以上説明したように、使用しているピン受け部１２を切り離すことは非常に困難となっており、また切り離した痕跡が目立ちやすくなっている。従って、制御基板２５に不正を加えることは非常に困難であるとともに、不正があったことを簡単に認識することができる。
【００９９】
ところで、制御基板２５をメンテナンス等する際には、図４に示すように制御ボックス７０を開放させる必要がある。この場合、蓋部材２０を奥行き方向の前方に向かって強くスライドさせればよい。図１２において、蓋部材２０を奥行き方向の前方に向かって強くスライドさせたときの破断線Ｂ３を示している。ピン蓋部２２と蓋本体部２４との連結部をなす肉薄部２６が破断し、同肉薄部２６に破断線Ｂ３が形成されている。すなわち、断面積を小さく形成された肉薄部２６は他の部位より破断しやすいため、肉薄部２６のみが破断している。肉薄部２６が破断することによりピン蓋部２２が蓋部材２０から切り離され、それ以降は蓋部材２０は奥行き方向にスライド可能となる。従って、制御基板２５をメンテナンス等することが可能となる。
【０１００】
また、肉薄部２６は外部から視認可能な位置に形成されているため、その破断状態を簡単に確認することができる。従って、制御ボックス７０を開放させた履歴を把握でき、メンテナンス等以外の不正な開放があったか否かを簡単に知ることができる。一旦開放させると、破断させられた肉薄部２６によって連結されていたピン蓋部２２は再び使用することができなくなるが、隣接するピン蓋部２２と予備ピン収容箱１３に収容されていた予備ピンによって再び制御ボックス７０を閉鎖させることができる。なお、図３に示すように制御ボックス７０を閉鎖した状態においては、予備ピン収容箱１３は予備ピン蓋２３により蓋覆されているため、予備ピンがいたずら等により紛失させられることもない。
【０１０１】
（４）第二の実施形態：
図１７は、第二の実施形態にかかる封止状態の封止部１７０ａの断面を見て示している。同図において、保護板１５１は波状に屈曲されて封止板１２２ａの外側を覆っている。保護板１５１の外側には、さらにピン１４０の押し込み面１４４ａが覆っている。ピン１４０は、同一形状の二個の断面視略Ｌ字状のピンを背面が向き合うように接合することにより形成している。従って、前方および奥方に向かって押し込み面１４４ａが形成されている。押し込み面１４４ａの外縁は防護壁１２２ｄまで到達している。すなわち、押し込み面１４４ａは防護壁１２２ｄに囲まれた封止板１２２ａおよび保護板１５１を隙間なく覆い隠している。なお、その他の構成については第一の実施形態と同様となっている。
【０１０２】
かかる構成により、保護板１５１の剛性が向上し、封止板１２２ａやピン受け部１２１の内部をより強固に保護することが可能となっている。また、この保護板１５１の外側をさらに押し込み面１４４ａが覆うため二重の防護構造となって、封止板１２２ａやピン受け部１２１の内部をより強固に保護することが可能となる。また、押し込み面１４４ａと防護壁１２２ｄとの隙間は小さく形成されているため、押し込み面１４４ａをペンチ等で摘むことはできなくなっている。従って、ピン１４０を引き抜くことは非常に困難となる。
【０１０３】
図１８は、第二の実施形態にかかる封止部１７０ａを斜めから見て示している。同図において、ピン受け部１１２を延設して形成した確認部１１２ａの表面は黒色に着色され、内部およびその他の部分は透明となっている。このようにすることで、確認部１１２ａの破断状況をはっきりと確認することができる。すなわち、破断面（例えば、破断線Ｂ１１）において確認部１１２ａの透明な内部が露出する。従って、黒色に着色された確認部１１２ａの表面と透明な内部とのコントラストが大きくなり、破断されたことを簡単に視認することができる。本実施形態においては、内部およびその他の部分は透明に形成されているため、裏側から光を照射させることにより、コントラストを増大させ、より確実に破断状況を確認することもできる。
【０１０４】
（５）第三の実施形態：
図１９は、第三の実施形態にかかる封止状態の封止部２７０ａの断面を見て示している。同図において、保護板２５１は折り返されており、二枚に重ね合わされている。前方の防護壁２２２ｄにおける封止板２２２ａと直交する部位には、外側に向かって溝２２２ｄ１が形成されおり、同溝２２２ｄ１に保護板２５１の先端部分が侵入している。なお、その他の構成については第一の実施形態と同様となっている。このようにすることにより、保護板２５１の強度が向上し、封止板２２２ａやピン受け部２２１の内部をより強固に保護することが可能となっている。また、溝２２２ｄ１が保護板２５１の先端部分を拘束するため、保護板２５１が上方にめくり上げられることが防止されている。
【０１０５】
（６）第四の実施形態：
図２０は、第四の実施形態にかかる金具３５０を上方から見て示している。同図において、金具３５０には第一の実施形態と同様に保護板３５１が設けられており、同保護板３５１には幅方向外側から一対の略Ｙ字状の切り込み３５１ｂ１３５１ｂ２が形成されている。保護板３５１には円形の視認穴３５１ｅが複数格子状に形成されている。図１７は、第四の実施形態にかかる封止状態の封止部３７０ａの断面を見て示している。同図において、保護板３５１における略Ｙ字状の切り込み３５１ｂ１が形成された部位は、封止板３２２ａに形成された貫通穴３２２ｂ１の上方に位置しており、ピン３４０の先端部３４２ａが貫通穴３２２ｂ１に差し込まれる際に、これを避けようとして貫通穴３２２ｂ１の壁面に沿うように屈曲される。なお、その他の構成については第一の実施形態と同様となっている。
【０１０６】
かかる構成により、貫通穴３２２ｂ１の壁面も金属製の保護板３５１で保護することが可能となる。従って、蓋部材３２０と皿部材３１０との相対移動を可能とするために貫通穴３２２ｂ１の穴径を広げる破壊行為を効果的に防止することが可能となる。また、予め貫通穴３２２ｂ１の壁面に沿うように保護板３５１を屈曲させておく必要がないため、加工も簡単で済む。さらに、視認穴３５１ｅが形成されることにより、上方からピン受け部１２の内部の状態を視認することが可能となっている。
【０１０７】
（７）まとめ：
以上説明したように、本発明にかかる遊技機において、制御ボックスを構成する蓋部材と皿部材とをかんぬき固定するピンを差し込むことにより、蓋部材と皿部材とを相対固定し制御ボックスを封止させる。そして、ピンが差し込まれる貫通穴の周囲を外側から金属製の保護板で覆うことにより、ピンの拘束力が発揮される貫通穴の周囲が外部から破壊されることを防止している。保護板はピンの先端部を抜け止め状態で保持するピン受け板を外側に延設して形成されるため、ピンの先端部を抜け止め状態を解除すべくピン受け板が除去されると外側の保護板も除去されることとなる。従って、ピン受け板が除去された痕跡を外側から簡単に確認することができる。
【符号の説明】
【０１０８】
２，１０…皿部材
１４…皿本体部
１４ｂ…共通壁面
１４ａ１，１４ａ２，１４ｃ…ガイドレール
１４ｄ…係合部
１４ｄ１…上抜け止め部
１４ｄ２…一定幅部
１４ｄ３…下抜け止め部
１４ｅ…切り欠き
７，１２，１１２，２１２，３１２…ピン受け部
１２ａ…確認部
１２ｂ…ガイド壁
１２ｃ…開口面
１３…予備ピン収容箱
１，２０…蓋部材
２４ａ，２４ａ２，２４ｃ…レール挿入部
２２…ピン蓋部
２２ａ…封止板
５，２２ｂ１，２２ｂ２…貫通穴
２２ｄ…防護壁
２２ｅ…切り欠き
２３…予備ピン蓋
２４…蓋本体部
２５…制御基板
２６…肉薄部
６，４０…ピン
４２ａ，４２ｂ…先端部
４２ａ１，４２ａ２，４２ｂ１，４２ｂ２…鋸刃部
４４…突出部
４４ａ…押し込み面
５０…金属片
５１…保護板
５１ａ…細幅部
５２…側面板
５３ａ３，５３ｂ３…係止端
５３ａ，５３ｂ…ピン受け板
５３ａ１，５３ａ２，５３ｂ１，５３ｂ２…バネ片
５３ａ３，５３ｂ３…係止端
５４…底面板
６０…パチンコ機
７０，９０…制御ボックス
７０ａ，９０ａ…封止部
８０…スロットマシン
Ｘ１，Ｘ２，Ｙ１，Ｙ２…断面線
Ｂ１，Ｂ２，Ｂ３，Ｂ１１…破断線
【図１】
0005637183.tif 000002
【図２】
0005637183.tif 000003
【図３】
0005637183.tif 000004
【図４】
0005637183.tif 000005
【図５】
0005637183.tif 000006
【図６】
0005637183.tif 000007
【図７】
0005637183.tif 000008
【図８】
0005637183.tif 000009
【図９】
0005637183.tif 000010
【図１０】
0005637183.tif 000011
【図１１】
0005637183.tif 000012
【図１２】
0005637183.tif 000013
【図１３】
0005637183.tif 000014
【図１４】
0005637183.tif 000015
【図１５】
0005637183.tif 000016
【図１６】
0005637183.tif 000017
【図１７】
0005637183.tif 000018
【図１８】
0005637183.tif 000019
【図１９】
0005637183.tif 000020
【図２０】
0005637183.tif 000021
【図２１】
0005637183.tif 000022
【図２２】
0005637183.tif 000023